(57)【特許請求の範囲】
【請求項１】
光源モジュールと、
前記光源モジュールを造営材に取り付けるための取付板と、
前記光源モジュールを前記取付板に取り付けるための取付金具とを備え、
前記光源モジュールは、光出射方向の反対側に設けられた、互いに対向する一対の第１溝及び互いに対向する一対の第２溝を有し、
前記取付板は、前記一対の第１溝に差し入れられており、
前記取付金具は、前記一対の第２溝の端部に挿入されて、前記取付板の移動を規制している
照明器具。
【請求項２】
前記光源モジュールは、
発光素子が設けられた基板と、
前記基板が載置される載置面を有する基台部、及び、前記基板の光出射側を覆う、少なくとも一部が透光性のカバー部を有するカバー部材とを備え、
前記基台部は、前記載置面の反対側の面から立設された一対の側壁部を有し、
前記一対の第１溝及び前記一対の第２溝は、前記一対の側壁部の互いに対向する面に設けられている
請求項１に記載の照明器具。
【請求項３】
前記一対の第１溝は、前記一対の第２溝より、前記一対の側壁部の先端側に設けられている
請求項２に記載の照明器具。
【請求項４】
前記一対の第２溝の底面間の距離は、前記一対の第１溝の底面間の距離より短く、
前記取付金具の幅は、前記一対の第２溝の底面間の距離に略等しく、
前記取付板の幅は、前記一対の第１溝の底面間の距離より短い
請求項３に記載の照明器具。
【請求項５】
前記取付板の幅は、さらに、前記一対の第１溝の開口間の距離より長い
請求項４に記載の照明器具。
【請求項６】
前記基台部と前記カバー部とは、一体成形されている
請求項２〜５のいずれか１項に記載の照明器具。
【請求項７】
前記カバー部は、
前記発光素子が発する光を透過させる透光部と、
前記発光素子が発する光を反射させる反射部とを有する
請求項６に記載の照明器具。
【請求項８】
前記透光部は、前記発光素子の光軸上に位置している
請求項７に記載の照明器具。
【請求項９】
前記反射部は、前記発光素子の光軸上に位置している
請求項７に記載の照明器具。
【請求項１０】
前記取付板と前記取付金具とは、固定部材によって互いに固定される
請求項１〜９のいずれか１項に記載の照明器具。
【請求項１１】
前記取付板は、端部から延設され、平面視において前記光源モジュールより外方に突出した突出部を有し、
前記突出部は、前記固定部材によって前記取付金具に固定される
請求項１０に記載の照明器具。
【請求項１２】
前記突出部は、平面視において前記一対の第１溝のいずれか一方の側に偏って位置している
請求項１１に記載の照明器具。
【請求項１３】
前記光源モジュール及び前記取付板は、所定方向に長尺であり、
前記一対の第１溝は、前記所定方向に延在しており、
前記取付金具は、前記所定方向に交差する方向への前記取付板の移動を規制している
請求項１〜１２のいずれか１項に記載の照明器具。
【発明の詳細な説明】
【技術分野】
【０００１】
本発明は、造営材に取付可能な照明器具に関する。
【背景技術】
【０００２】
従来、複数のＬＥＤ（Ｌｉｇｈｔ  Ｅｍｉｔｔｉｎｇ  Ｄｉｏｄｅ）などの発光素子を直線状に配列した照明器具が知られている（例えば、特許文献１を参照）。
【０００３】
特許文献１に記載の照明器具は、長尺状のＬＥＤ照明ユニットと、当該ＬＥＤ照明ユニットが着脱自在に取り付けられる照明器具外殻体とを備える。特許文献１に記載の照明器具は、所定の設置面に固定された取り付けベースに、照明器具外殻体をネジ留めすることで、設置面に固定される。
【先行技術文献】
【特許文献】
【０００４】
【特許文献１】特開２００５−３０２４８４号公報
【発明の概要】
【発明が解決しようとする課題】
【０００５】
ところで、近年、間接照明用に家具と壁との隙間などの狭い空間に照明器具を配置することが行われている。狭い空間で照明器具を壁材などの造営材に取り付けるためには、照明器具の造営材への取り付けが簡単であることが望まれる。例えば、特許文献１に記載の照明器具では、照明器具外殻体を支持しながらネジ留めしなければならず、取り付けが難しい。
【０００６】
そこで、本発明は、造営材に簡単に取り付けることができる照明器具を提供することを目的とする。
【課題を解決するための手段】
【０００７】
上記目的を達成するため、本発明の一態様に係る照明器具は、光源モジュールと、前記光源モジュールを造営材に取り付けるための取付板と、前記光源モジュールを前記取付板に取り付けるための取付金具とを備え、前記光源モジュールは、光出射方向の反対側に設けられた、互いに対向する一対の第１溝及び互いに対向する一対の第２溝を有し、前記取付板は、前記一対の第１溝に差し入れられており、前記取付金具は、前記一対の第２溝の端部に挿入されて、前記取付板の移動を規制している。
【発明の効果】
【０００８】
本発明に係る照明器具によれば、造営材に簡単に取り付けることができる。
【図面の簡単な説明】
【０００９】
【図１】実施の形態に係る照明器具の斜視図である。
【図２】実施の形態に係る照明器具の分解斜視図である。
【図３】実施の形態に係る照明器具の端部を光出射側から見たときの分解斜視図である。
【図４】実施の形態に係る照明器具の端部を光出射方向とは反対側から見たときの分解斜視図である。
【図５】図１のＶ−Ｖ線における実施の形態に係る照明器具の断面図である。
【図６Ａ】実施の形態に係る照明器具の造営材への取付方法において、光源モジュールを取付板に仮固定する工程を示す側面図である。
【図６Ｂ】実施の形態に係る照明器具の造営材への取付方法において、取付金具と取付板とを固定する工程を示す斜視図である。
【図６Ｃ】実施の形態に係る照明器具の造営材への取付方法において、光源モジュールにエンドキャップを取り付ける工程を示す斜視図である。
【図７】実施の形態に係る照明器具の使用態様の一例を示す斜視図である。
【図８】実施の形態に係る照明器具の使用態様の一例を示す断面図である。
【図９】実施の形態に係るエンドキャップの加工前と加工後とを示す斜視図である。
【図１０】実施の形態に係る加工後のエンドキャップの使用態様の一例を示す斜視図である。
【図１１】実施の形態の変形例１に係る照明器具の断面図である。
【図１２】実施の形態の変形例２に係る照明器具を複数連結する場合の２つの取付板の配置を示す平面図である。
【図１３】実施の形態の変形例２に係る照明器具の連結に利用する取付金具の平面図である。
【図１４Ａ】実施の形態の変形例２に係る照明器具の連結方法において、一の光源モジュールに取付金具を挿入する工程を示す平面図である。
【図１４Ｂ】実施の形態の変形例２に係る照明器具の連結方法において、他の光源モジュールに取付金具を挿入する工程を示す平面図である。
【図１４Ｃ】実施の形態の変形例２に係る照明器具の連結方法において、光源モジュールにエンドキャップを取り付ける工程を示す平面図である。
【発明を実施するための形態】
【００１０】
以下では、本発明の実施の形態に係る照明器具について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００１２】
（実施の形態）
［構成］
まず、実施の形態に係る照明器具の構成について、図１〜図５を用いて説明する。
【００１３】
図１は、本実施の形態に係る照明器具１の斜視図である。図２は、本実施の形態に係る照明器具１の分解斜視図である。図３は、本実施の形態に係る照明器具１の端部を光出射側から見たときの分解斜視図である。図４は、本実施の形態に係る照明器具１の端部を光出射方向とは反対側から見たときの分解斜視図である。図５は、図１のＶ−Ｖ線における本実施の形態に係る照明器具１の断面図である。
【００１４】
図１及び図２に示すように、照明器具１は、所定方向に長尺である。本実施の形態では、各図面において、照明器具１の長手方向をｘ軸方向とし、当該長手方向に直交し、かつ、互いに直交する２つの方向をｙ軸方向及びｚ軸方向とする。なお、ｙ軸方向は、照明器具１の厚み方向であり、照明器具１の光出射方向に相当する。ｚ軸方向は、照明器具１の短手方向である。照明器具１は、所定の設置面（ｘｚ平面）を有する造営材に取り付けられる。
【００１５】
なお、造営材は、例えば、壁又は柱などを構成する建築物の構造材である。本実施の形態では、造営材には、キャビネットなどの家具なども含まれる。
【００１６】
図１〜図４に示すように、照明器具１は、光源モジュール１０と、取付板２０と、取付金具３０と、ネジ４０と、エンドキャップ５０と、取付ネジ６０とを備える。以下では、照明器具１が備える各構成要素を詳細に説明する。
【００１７】
［光源モジュール］
光源モジュール１０は、照明器具１の発光部である。光源モジュール１０は、所定方向（ｘ軸方向）に長尺である。図３に示すように、光源モジュール１０は、基板１１と、複数の発光素子１２と、カバー部材１３と、エンドカバー１６とを備える。図３〜図５に示すように、カバー部材１３は、基台部１４と、カバー部１５とを有する。光源モジュール１０は、図５に示すように、さらに、一対の第１溝１７ａ及び１７ｂと、一対の第２溝１８ａ及び１８ｂとを有する。
【００１８】
基板１１は、ｘ軸方向に長尺な略矩形の回路基板である。基板１１は、例えば、発光素子１２を実装するための実装基板である。基板１１は、例えば、樹脂基板、メタルベース基板、セラミック基板又はガラス基板である。樹脂基板としては、例えば、ガラス繊維とエポキシ繊維とからなるガラスエポキシ基板、又は、紙フェノール若しくは紙エポキシからなる基板などを用いることができる。
【００１９】
基板１１は、基台部１４の載置面１４ａに載置される。基板１１は、例えば、カバー部材１３の端部から載置面１４ａに沿ってスライド挿入されている。なお、複数の基板１１が載置面１４ａに載置されてもよい。
【００２０】
基板１１には、金属配線（図示せず）がパターン形成されており、複数の発光素子１２を電気的に接続している。基板１１には、長手方向の少なくとも一方の端部にコネクタ（図示せず）が設けられている。コネクタは、外部に配置される電源回路とリード線で接続されて、電源回路から供給される電力を受ける。コネクタが受けた電力は、基板１１に設けられた金属配線を介して複数の発光素子１２に供給されて、複数の発光素子１２が光を発する。
【００２１】
複数の発光素子１２は、基板１１の主面に設けられている。図３に示すように、複数の発光素子１２は、基板１１の長手方向に沿って、基板１１の短手方向の略中央にライン状に一列で実装されている。なお、複数の発光素子１２のレイアウトは、これに限定されず、例えば、二列などの複数列で実装されていてもよい。
【００２２】
複数の発光素子１２の各々は、ＬＥＤチップと蛍光体とがパッケージ化された、いわゆるＳＭＤ（Ｓｕｒｆａｃｅ  Ｍｏｕｎｔｅｄ  Ｄｅｖｉｃｅ）型の発光素子である。具体的には、各発光素子１２は、パッケージと、パッケージに配置されたＬＥＤチップと、ＬＥＤチップを封止する封止部材とを備える。発光素子１２は、例えば、白色光を発する白色ＬＥＤ素子である。
【００２３】
なお、図示しないが、発光素子１２は、正極及び負極の２つの電極端子を有しており、これらの電極端子が、基板１１に設けられた金属配線と電気的に接続されている。
【００２４】
カバー部材１３は、複数の発光素子１２を覆い、かつ、基板１１を支持する部材である。本実施の形態では、カバー部材１３は、ｘ軸方向に長尺であり、基板１１と略同じ長さを有する。
【００２５】
基台部１４は、基板１１が載置される載置面１４ａを有する部分である。具体的には、基台部１４は、載置面１４ａと、載置面１４ａの反対側の面である裏面１４ｂとを有する板状で長尺な部分である。
【００２６】
本実施の形態では、基台部１４は、取付板２０及び取付金具３０を支持する。具体的には、図５に示すように、基台部１４は、裏面１４ｂから立設された一対の側壁部１４１ａ及び１４１ｂを有する。
【００２７】
一対の側壁部１４１ａ及び１４１ｂはそれぞれ、基台部１４の裏面１４ｂの短手方向（ｚ軸方向）の端部から略垂直に立設されている。具体的には、一対の側壁部１４１ａ及び１４１ｂは、裏面１４ｂから光出射方向とは反対側（ｙ軸方向の負側）に突出するように設けられた壁部である。一対の側壁部１４１ａ及び１４１ｂは、裏面１４ｂの長手方向（ｘ軸方向）に沿って断面形状が略一定で延在している。
【００２８】
一対の側壁部１４１ａ及び１４１ｂは、取付板２０及び取付金具３０を支持する部分である。図５に示すように、一対の側壁部１４１ａ及び１４１ｂとの互いに対向する面に、一対の第１溝１７ａ及び１７ｂと、一対の第２溝１８ａ及び１８ｂとが設けられている。取付板２０は、一対の第１溝１７ａ及び１７ｂに差し入れられている。取付金具３０は、一対の第２溝１８ａ及び１８ｂの端部に挿入されている。
【００２９】
カバー部１５は、基板１１の光出射側を覆う、少なくとも一部が透光性の部分である。カバー部１５は、基板１１の短手方向（ｚ軸方向）の側方から厚み方向（ｙ軸方向）にかけて基板１１（発光素子１２）を覆っている。具体的には、カバー部１５の断面視形状は、図５に示すように、等脚台形の上辺及び２本の脚に沿った形状である。なお、カバー部１５の断面視形状は、これに限らず、円弧状又は逆Ｕ字状などでもよい。
【００３０】
本実施の形態では、図５に示すように、カバー部１５は、透光部１５１と、反射部１５２とを有する。また、透光部１５１と反射部１５２との間には、一対の溝１５３ａ及び１５３ｂが設けられている。
【００３１】
透光部１５１は、発光素子１２が発する光を透過させる透光性の部分である。本実施の形態では、透光部１５１は、発光素子１２の光軸Ｌ上に位置している。具体的には、透光部１５１は、カバー部１５の上面を含む上面部１５１ａと２つの側面の一方を含む傾斜部１５１ｂと有する。なお、光軸Ｌは、発光素子１２が発する光の強度が最も大きくなる方向であり、図５に示すように、基板１１に直交している。
【００３２】
透光部１５１は、発光素子１２が発する光を拡散させるために、光拡散（散乱）機能を有してもよい。例えば、透光部１５１の内面又は外面に、光拡散シート又は光拡散膜を設けてもよい。具体的には、シリカ又は炭酸カルシウムなどの光拡散材（微粒子）を含有する樹脂又は白色顔料を透光部１５１の内面又は外面に付着させることで、乳白色の光拡散膜を形成することができる。
【００３３】
あるいは、透光部１５１の内部又は外部にレンズ構造物又は凹凸構造を設けることによって、透光部１５１に光拡散機能を持たせてもよい。例えば、透光部１５１の内面又は外面にドットパターンを印刷してもよい。あるいは、透光部１５１そのものを、光拡散材が分散された樹脂材料を用いて成形してもよい。
【００３４】
透光部１５１が光拡散機能を有することによって、発光素子１２から発せられた光を、透光部１５１を通過させる際に拡散（散乱）させることができる。特に、本実施の形態のように、複数の発光素子１２が互いに離間して配置されている場合、光の粒状感（輝度ばらつき）が発生しやすくなるが、透光部１５１に光拡散機能を持たせることで、粒状感を抑制することができる。
【００３５】
反射部１５２は、発光素子１２が発する光を反射する反射性の部分である。本実施の形態では、反射部１５２は、発光素子１２の光軸Ｌ上には位置せず、発光素子１２の斜め前方に位置している。具体的には、反射部１５２は、カバー部１５の２つの側面の他方を含む部分である。反射部１５２は、発光素子１２が発する光を透光部１５１の傾斜部１５１ｂに向けて反射する。これにより、傾斜部１５１ｂから出射される光の強度を高めることができる。
【００３６】
一対の溝１５３ａ及び１５３ｂは、互いに対向しており、カバー部材１３の長手方向（ｘ軸方向）に延在している。一対の溝１５３ａ及び１５３ｂには、長手方向の一方の端部から基板１１がスライド挿入される。一対の溝１５３ａ及び１５３ｂの各々の幅（ｙ軸方向の長さ）は、基板１１の厚みに略等しい。これにより、基板１１は、ｙ軸方向への移動が規制される。
【００３７】
本実施の形態では、基台部１４とカバー部１５とは、一体成形されている。具体的には、カバー部材１３は、二色成形により一部品として形成されている。例えば、透光性を有する樹脂材料を用いてカバー部１５の透光部１５１を成形し、反射性（又は、遮光性）を有する樹脂材料を用いて透光部１５１以外の部分（具体的には、反射部１５２及び基台部１４）を成形することで、カバー部材１３が形成される。
【００３８】
透光性を有する樹脂材料としては、例えば、アクリル（ＰＭＭＡ）又はポリカーボネート（ＰＣ）などの透明樹脂材料を用いることができる。遮光性を有する樹脂材料としては、例えば、ポリブチレンテレフタレート（ＰＢＴ）などの硬質の白色樹脂材料を用いることができる。
【００３９】
本実施の形態に係るカバー部材１３は、カバー部１５が反射部１５２を有することで、光源モジュール１０の配光を制御している。具体的には、発光素子１２が発した光の一部を反射部１５２が反射することで、光源モジュール１０は、ｙ軸方向の正側とｚ軸方向の正側とを主に照射する。これにより、照明器具１が壁と家具との隙間などの狭い空間に配置された場合に、照明が必要な方向に光を強く出射させることができる。
【００４０】
エンドカバー１６は、カバー部材１３の長手方向の端部を覆う部材である。具体的には、図３に示すように、エンドカバー１６は、基台部１４とカバー部１５との間の空間（基板１１が挿入される空間）を塞ぐ板状の部材である。エンドカバー１６の正面視形状は、カバー部１５の断面視形状と略同じであり、等脚台形である。エンドカバー１６は、例えば、接着剤などによってカバー部材１３の端部に固定される。
【００４１】
図３及び図４に示すように、エンドカバー１６は、有底円筒部１６１を有する。有底円筒部１６１の底の中央には、２つの貫通孔１６２が設けられている。ここでは図示しないが、２つの貫通孔１６２には、リード線７１（図８及び図１０を参照）の端部が挿入される。リード線７１の端部は、基板１１の端部に物理的かつ電気的に接続される。有底円筒部１６１の筒内には、リード線７１に取り付けられた防水パッキン（図示せず）などが挿入される。これにより、カバー部材１３の内部に水分などが浸入するのを抑制することができる。
【００４２】
本実施の形態では、２つのエンドカバー１６がカバー部材１３の両端に設けられている。２つのエンドカバー１６は、例えば、同一の構成を有する。あるいは、２つのエンドカバー１６の一方は、有底円筒部１６１などのコネクタを接続するための構造を有していなくてもよい。エンドカバー１６は、例えば、ＰＢＴなどの樹脂材料を用いて形成される。
【００４３】
一対の第１溝１７ａ及び１７ｂは、光源モジュール１０の光出射方向（ｙ軸方向の正側）の反対側に設けられている。具体的には、一対の第１溝１７ａ及び１７ｂは、一対の側壁部１４１ａ及び１４１ｂの互いに対向する面に設けられており、互いに対向している。具体的には、第１溝１７ａの底面１７１ａ及び開口１７２ａと、第１溝１７ｂの底面１７１ｂ及び開口１７２ｂとが互いに対向している。
【００４４】
一対の第１溝１７ａ及び１７ｂは、光源モジュール１０の長手方向（ｘ軸方向）に延在している。一対の第１溝１７ａ及び１７ｂには、取付板２０が差し入れられる。本実施の形態では、差し入れるとは、一対の第１溝１７ａ及び１７ｂの長手方向の端部に、取付板２０の長手方向の端部をスライド挿入することを意味しない。差し入れるとは、第１溝１７ａの開口１７２ａ又は第１溝１７ｂの開口１７２ｂから、取付板２０の短手方向の端部（具体的には、フランジ部２１ａ又は２１ｂ）を挿入することである。差し入れの詳細については、図６Ａを用いて後で説明する。
【００４５】
本実施の形態では、取付板２０の差し入れが可能になるように、取付板２０の幅Ｗは、一対の第１溝１７ａ及び１７ｂの底面１７１ａ及び１７１ｂ間の距離Ｄ１より短く、開口１７２ａ及び１７２ｂ間の距離ｄ１より長い。このため、図５に示すように、取付板２０が一対の第１溝１７ａ及び１７ｂに対して平行で、かつ、一対の第１溝１７ａ及び１７ｂ間の略中央に位置している場合には、取付板２０は、一対の第１溝１７ａ及び１７ｂから抜け落ちない。
【００４６】
また、取付板２０の幅Ｗは、第１溝１７ａの底面１７１ａから第１溝１７ｂの開口１７２ｂまでの距離（（Ｄ１＋ｄ１）÷２）より短い。このため、取付板２０の一方の端部を底面１７１ａ又は１７１ｂに接触させるように短手方向にずらした場合には、取付板２０を容易に取り外すことができる。
【００４７】
また、本実施の形態では、一対の第１溝１７ａ及び１７ｂは、一対の第２溝１８ａ及び１８ｂより、一対の側壁部１４１ａ及び１４１ｂの先端側（ｙ軸方向の負側）に設けられている。これにより、取付板２０の差し入れを容易に行うことができる。
【００４８】
一対の第２溝１８ａ及び１８ｂは、光源モジュール１０の光出射方向（ｙ軸方向の正側）の反対側に設けられている。具体的には、一対の第２溝１８ａ及び１８ｂは、一対の側壁部１４１ａ及び１４１ｂの互いに対向する面に設けられており、互いに対向している。具体的には、第２溝１８ａの底面１８１ａ及び開口１８２ａと、第２溝１８ｂの底面１８１ｂ及び開口１８２ｂとが互いに対向している。
【００４９】
一対の第２溝１８ａ及び１８ｂは、光源モジュール１０の長手方向（ｘ軸方向）に延在している。一対の第２溝１８ａ及び１８ｂには、長手方向の端部に取付金具３０が挿入される。
【００５０】
本実施の形態では、一対の第２溝１８ａ及び１８ｂの底面１８１ａ及び１８１ｂ間の距離Ｄ２は、一対の第１溝１７ａ及び１７ｂの底面１７１ａ及び１７１ｂ間の距離Ｄ１より短い。また、一対の第２溝１８ａ及び１８ｂの開口１８２ａ及び１８２ｂ間の距離ｄ２は、一対の第１溝１７ａ及び１７ｂの開口１７２ａ及び１７２ｂ間の距離ｄ１より短い。これにより、取付板２０は、一対の第２溝１８ａ及び１８ｂには差し入れが困難又は不可能になるので、取り付けの誤りなどを防ぐことができる。
【００５１】
一対の第１溝１７ａ及び１７ｂ並びに一対の第２溝１８ａ及び１８ｂは、例えば、略Ｕ字溝（断面形状が略Ｕ字）であるが、これに限定されない。各溝は、略Ｖ字溝などでもよい。
【００５２】
［取付板］
取付板２０は、光源モジュール１０を造営材に取り付けるための部材である。図２に示すように、取付板２０は、所定方向（ｘ軸方向）に長尺な板材である。図５に示すように、取付板２０は、一対の第１溝１７ａ及び１７ｂに差し入れられている。
【００５３】
本実施の形態では、取付板２０は、取付金具３０が光源モジュール１０に取り付けられていない場合には、一対の第１溝１７ａ及び１７ｂ間で短手方向及び長手方向に移動可能である。取付金具３０が光源モジュール１０に取り付けられることで、取付板２０の移動が規制される。
【００５４】
取付板２０は、図３及び図４に示すように、フランジ部２１ａ及び２１ｂと、突出部２２と、ネジ穴２３と、凹部２４と、貫通孔２５とを有する。
【００５５】
フランジ部２１ａ及び２１ｂは、取付板２０の短手方向（ｚ軸方向）の端部に設けられている。フランジ部２１ａ及び２１ｂは、取付板２０の長手方向（ｘ軸方向）に沿って延在している。図５に示すように、フランジ部２１ａは、第１溝１７ａに差し入れられ、フランジ部２１ｂは、第１溝１７ｂに差し入れられている。
【００５６】
フランジ部２１ａと第１溝１７ａの底面１７１ａとの間には、所定幅（（Ｄ１−Ｗ）÷２）の隙間が設けられ、フランジ部２１ｂと第１溝１７ｂの底面１７１ｂとの間には、所定幅（（Ｄ１−Ｗ）÷２）の隙間が設けられている。したがって、取付板２０は、隙間の分だけ短手方向に移動可能に一対の第１溝１７ａ及び１７ｂ内に配置されている。取付板２０の短手方向の移動が、取付金具３０によって規制される。
【００５７】
突出部２２は、取付板２０の端部から延設され、平面視において光源モジュール１０より外方に突出した部分である（図６Ｂ及び図６Ｃなどを参照）。図３及び図４に示すように、突出部２２は、取付板２０の長手方向の端部から、当該長手方向に沿って外側に延設されている。
【００５８】
本実施の形態では、突出部２２は、取付板２０の長手方向の両端にそれぞれ設けられている。突出部２２は、平面視において一対の第１溝１７ａ及び１７ｂのいずれか一方の側に偏って位置している。具体的には、突出部２２は、取付板２０の長手方向に沿った中心線（短手方向の中心を通る線）上には位置せず、当該中心線の側方にずれた位置に設けられている。例えば、図４及び図５から分かるように、ｘ軸方向の正側の突出部２２は、第１溝１７ａ側に偏って位置している。また、図２から分かるように、ｘ軸方向の負側の突出部２２は、第１溝１７ｂ側に偏って位置している。
【００５９】
ネジ穴２３は、図３及び図４に示すように、突出部２２に設けられている。具体的には、ネジ穴２３は、取付板２０の厚み方向（ｙ軸方向）に突出部２２を貫通している。なお、ネジ穴２３は、突出部２２を貫通せずに、底を有してもよい。ネジ穴２３には、取付金具３０のネジ孔３３に挿入されたネジ４０がねじ入れられる。これにより、突出部２２がネジ４０によって取付金具３０に固定されるので、取付板２０は、取付金具３０に固定される（図６Ｂを参照）。
【００６０】
凹部２４は、取付板２０の長手方向に沿って形成された所定幅の浅い溝である。凹部２４には、取付金具３０の規制部３４が挿入される。規制部３４と凹部２４の底とが当たることによって、取付板２０の厚み方向への移動が規制される。凹部２４の幅（短手方向の長さ）と規制部３４の幅とが略同じであるので、取付板２０の短手方向への移動が規制される。
【００６１】
貫通孔２５は、取付板２０の凹部２４の底を貫通している。貫通孔２５は、取付板２０を造営材に取り付けるための取付ネジ６０が挿入される孔である。図２に示すように、本実施の形態では、３つの貫通孔２５が取付板２０の長手方向に沿って並んで設けられている。なお、貫通孔２５の個数（取付ネジ６０の個数）は、３に限らず、１つ、２つ又は４つ以上でもよい。取付板２０の長さが長い程、多くの貫通孔２５を互いに離して設けることで、取付板２０の造営材への取り付けを強固に行うことができる。
【００６２】
本実施の形態では、図２に示すように、２つの突出部２２が中心線（長手方向）から互いに異なる方向に偏って位置しており、取付板２０は、平面視において点対称な形状を有しているが、これに限らない。例えば、２つの突出部２２は、中心線（長手方向）から互いに同じ方向に偏って位置していてもよい。すなわち、取付板２０は、平面視において、短手方向における中心線を対称の軸として線対称な形状を有してもよい。
【００６３】
取付板２０は、例えば、アルミニウムなどの金属材料から形成されるが、これに限定されない。取付板２０は、例えば、樹脂材料から形成されてもよい。取付板２０は、例えば、アルミニウム製の金属板などをプレス加工することにより形成される。
【００６４】
［取付金具］
取付金具３０は、光源モジュール１０を取付板２０に取り付けるための部材である。図２に示すように、取付金具３０は、取付板２０に比べて十分に短い板状の部材である。例えば、取付金具３０は、突出部３２を除いた部分（具体的には、板部３１）の短手方向がｘ軸方向となり、長手方向がｚ軸方向となる。
【００６５】
取付金具３０は、一対の第２溝１８ａ及び１８ｂの端部に挿入されて、取付板２０の移動を規制している。本実施の形態は、取付金具３０は、取付板２０の長手方向（ｘ軸方向）に交差する方向への取付板２０の移動を規制している。具体的には、取付金具３０は、取付板２０の短手方向及び厚み方向への移動を規制している。本実施の形態では、取付金具３０と取付板２０とは、ネジ４０によって互いに固定される。
【００６６】
図３及び図４に示すように、取付金具３０は、板部３１と、突出部３２と、ネジ孔３３と、規制部３４とを有する。
【００６７】
板部３１は、取付金具３０の本体であり、平面視形状が略矩形の平板部である。板部３１は、一対の第２溝１８ａ及び１８ｂの長手方向の端部に挿入される。
【００６８】
板部３１の幅ｗ（ｚ軸方向の長さ）は、図５に示すように、一対の第２溝１８ａ及び１８ｂの底面１８１ａ及び１８１ｂ間の距離Ｄ２に略等しい。なお、実際には、一対の第２溝１８ａ及び１８ｂ間への取付金具３０の挿入をスムーズにするため、幅ｗは、僅かに距離Ｄ２より小さい。幅ｗと距離Ｄ２との差は、例えば２ｍｍ以下である。このため、取付金具３０は、一対の第２溝１８ａ及び１８ｂに挿入された場合に、ｚ軸方向への移動が実質的に規制される。
【００６９】
板部３１の厚さ（ｙ軸方向の長さ）は、図５に示すように、一対の第２溝１８ａ及び１８ｂの各々の幅（ｙ軸方向の長さ）に略等しい。このため、取付金具３０は、ｙ軸方向への移動が規制される。
【００７０】
突出部３２は、板部３１の端部から延設され、平面視において光源モジュール１０より外方に突出した部分である。突出部３２は、平面視において、一対の第２溝１８ａ及び１８ｂのいずれか一方の側に偏って位置している。例えば、突出部３２は、平面視した場合に、取付板２０の突出部２２に重なる。具体的には、突出部３２に設けられたネジ孔３３と、突出部２２に設けられたネジ穴２３とが平面視において一致する。
【００７１】
突出部３２は、一対の第２溝１８ａ及び１８ｂに挿入されない部分であるので、取付金具３０を一対の第２溝１８ａ及び１８ｂに挿入する際に把持する部分として利用することもできる。これにより、取付金具３０の挿入を容易に行うことができる。
【００７２】
図３及び図４に示すように、突出部３２は、段差部３５を有する。取付金具３０が一対の第２溝１８ａ及び１８ｂに挿入された場合に、段差部３５が一対の第２溝１８ａ及び１８ｂの挿入口部（長手方向の端面）に当接する。これにより、取付金具３０が奥まで挿入されることを防止することができる。
【００７３】
段差部３５が設けられていることで、取付金具３０の突出部３２を取付板２０の突出部２２に接触させることができる。これにより、突出部３２と突出部２２とをネジ４０によって締結した場合に、取付金具３０又は取付板２０が変形することを抑制することができる。
【００７４】
ネジ孔３３は、取付金具３０の厚み方向（ｙ軸方向）に突出部３２を貫通している。ネジ孔３３には、ネジ４０が挿入される。ネジ孔３３に挿入されたネジ４０が取付板２０のネジ穴２３にねじ入れられることで、取付金具３０と取付板２０とは、互いに固定される。
【００７５】
規制部３４は、板部３１の先端から下方に延設された、平面視形状が略矩形の平板部である。なお、板部３１の先端とは、取付金具３０の挿入方向における先端であり、図４に示す例では、ｘ軸方向の負側の部分である。
【００７６】
規制部３４は、図５に示すように、取付板２０の凹部２４に挿入される。規制部３４は、上述したように、取付板２０の短手方向（ｚ軸方向）及び厚み方向（ｙ軸方向）への移動を規制する。
【００７７】
本実施の形態では、図２に示すように、光源モジュール１０の長手方向の両端に２つの取付金具３０が設けられている。２つの取付金具３０は、互いに同じ形状を有する。
【００７８】
取付金具３０は、例えば、アルミニウムなどの金属材料から形成されるが、これに限定されない。取付金具３０は、例えば、樹脂材料から形成されてもよい。取付金具３０は、例えば、アルミニウム製の金属板をプレス加工することにより形成される。
【００７９】
［ネジ］
ネジ４０は、取付板２０と取付金具３０とを固定する固定部材の一例である。ネジ４０の軸の長さは、取付金具３０の突出部３２の厚さより長い。なお、ネジ４０の軸の長さは、ネジ孔３３及びネジ穴２３に挿入された場合に、ネジ穴２３から飛び出さない程度の長さである。これにより、照明器具１を造営材に取り付ける際に、ネジ４０のネジ先が造営材に当たるのを防ぐことができる。
【００８０】
ネジ４０は、例えば、鉄などの金属製のタッピンネジであるが、これに限定されない。また、取付板２０と取付金具３０との固定には、ネジ４０の代わりに、ボルト及びナットなどの他の固定部材を用いてもよい。
【００８１】
［エンドキャップ］
エンドキャップ５０は、光源モジュール１０の長手方向（ｘ軸方向）の端部を覆う部材である。エンドキャップ５０は、図４に示すように、カバー部材１３の形状に合った形状を有する。具体的には、エンドキャップ５０は、長方形と等脚台形とを組み合わせた六角形を底面（ｘ軸方向の面）とする扁平な直方体を横に寝かせた形状を有する。エンドキャップ５０の下面（ｙ軸方向の負側の面）と１つの側面（ｘ軸方向の負側の六角形の面）とは、開放されている。
【００８２】
図４に示すように、エンドキャップ５０は、溝５１が内面に設けられている。溝５１にエンドカバー１６が挿入されることで、エンドキャップ５０は、光源モジュール１０に係止される。
【００８３】
本実施の形態では、図２に示すように、光源モジュール１０の長手方向の両端に２つのエンドキャップ５０が設けられている。２つのエンドキャップ５０は、互いに同じ形状を有する。
【００８４】
エンドキャップ５０は、例えば、ＰＢＴなどの樹脂材料を用いて形成されるが、これに限定されない。エンドキャップ５０は、金属材料から形成されてもよい。
【００８５】
［取付ネジ］
取付ネジ６０は、取付板２０を造営材に固定するための固定部材の一例である。本実施の形態では、図２に示すように、３つの取付ネジ６０によって取付板２０が造営材に固定される。
【００８６】
取付ネジ６０は、例えば、鉄などの金属製の木ネジ又はタッピンネジであるが、これに限定されない。また、取付板２０の造営材への固定には、取付ネジ６０の代わりに接着シートなどを利用してもよい。
【００８７】
［取付方法］
続いて、本実施の形態に係る照明器具１の造営材への取付方法について、図６Ａ〜図６Ｃを用いて説明する。図６Ａ〜図６Ｃはそれぞれ、本実施の形態に係る照明器具１の造営材２への取付方法を示す図である。
【００８８】
照明器具１の造営材２への取り付けでは、始めに、取付板２０を造営材２に取付ネジ６０によって固定する。その後、造営材２に固定された取付板２０に光源モジュール１０を固定することで、照明器具１が造営材２に取り付けられる。
【００８９】
まず、図６Ａに示すように、光源モジュール１０を取付板２０に仮固定する。図６Ａは、光源モジュール１０を取付板２０に仮固定する工程を示す側面図である。
【００９０】
図６Ａの（ａ）に示すように、取付板２０の短手方向（ｚ軸方向）のフランジ部２１ａを、開口１７２ａを介して第１溝１７ａに斜めに挿入する。具体的には、取付板２０が造営材に固定されているので、光源モジュール１０の姿勢を調整しながら、第１溝１７ａにフランジ部２１ａを引っ掛けるようにして差し入れる。
【００９１】
図５で示したように、取付板２０の幅Ｗは、第１溝１７ａの底面１７１ａから第１溝１７ｂの開口１７２ｂまでの距離（（Ｄ１＋ｄ１）÷２）より短い。このため、光源モジュール１０を取付板２０（造営材２）に対して斜めにすることで、フランジ部２１ａを第１溝１７ａに入れた後、図６Ａの（ｂ）に示すように、取付板２０を一対の第１溝１７ａ及び１７ｂ間に位置させることができる。
【００９２】
図６Ａの（ｂ）の矢印で示すように、光源モジュール１０を造営材２の表面に沿って平行移動させることで、取付板２０のフランジ部２１ｂを第１溝１７ｂに開口１７２ｂを介して差し入れることができる。これにより、図６Ａの（ｃ）に示すように、取付板２０のフランジ部２１ａ及び２１ｂがそれぞれ、一対の第１溝１７ａ及び１７ｂに差し入れられた状態になって、取付板２０に光源モジュール１０が仮固定される。仮固定された状態では、光源モジュール１０は、取付板２０に対して短手方向及び長手方向に移動可能である。
【００９３】
次に、図６Ｂに示すように、取付金具３０と取付板２０とを固定する。図６Ｂは、取付金具３０と取付板２０とを固定する工程を示す斜視図である。
【００９４】
図６Ｂの（ｄ）に示すように、光源モジュール１０の一対の第２溝１８ａ及び１８ｂの長手方向の端部に取付金具３０を挿入する。具体的には、平面視において、取付金具３０のネジ孔３３が取付板２０のネジ穴２３に一致する位置まで、取付金具３０の板部３１が、一対の第２溝１８ａ及び１８ｂ間にスライド挿入される。
【００９５】
次に、図６Ｂの（ｅ）に示すように、ネジ４０をネジ孔３３及びネジ穴２３の順にねじ入れる。これにより、図６Ｃの（ｆ）に示すように、取付金具３０と取付板２０とがネジ４０によって固定される。
【００９６】
図５で示したように、取付金具３０の幅ｗは、一対の第２溝１８ａ及び１８ｂの底面１８１ａ及び１８１ｂ間の距離Ｄ２に略等しいため、取付金具３０は、光源モジュール１０に対する短手方向（ｚ軸方向）への移動が規制されている。取付金具３０と取付板２０とが固定されることによって、光源モジュール１０は、取付板２０に対する短手方向への移動が規制される。また、ネジ４０によって、突出部３２と突出部２２とが接触して固定されるので、光源モジュール１０の長手方向への移動も規制される。これにより、光源モジュール１０が取付板２０に対して固定される。
【００９７】
次に、図６Ｃに示すように、光源モジュール１０の端部にエンドキャップ５０を取り付ける。図６Ｃは、光源モジュール１０にエンドキャップ５０を取り付ける工程を示す斜視図である。
【００９８】
図６Ｃの（ｆ）に示すように、取付板２０と取付金具３０とがネジ４０によって固定された後、図６Ｃの（ｇ）に示すように、エンドキャップ５０をネジ４０の上方から嵌め入れる。具体的には、エンドキャップ５０の溝５１にエンドカバー１６を挿入することで、カバー部材１３とエンドカバー１６とにエンドキャップ５０を係止させる。
【００９９】
これにより、ネジ４０並びに突出部３２及び２２がエンドキャップ５０によって覆われる。したがって、照明器具１の外部にネジ４０などが露出しないので、照明器具１のデザイン性を高めることができる。また、ネジ４０を誤って取り外すことなどを抑制することができる。
【０１００】
なお、図６Ｂ及び図６Ｃでは、照明器具１の一方の端部について説明したが、他方の端部についても同様にして、取付金具３０及びエンドキャップ５０を取り付けることができる。あるいは、他方の端部については、取付金具３０と取付板２０とを予め固定しておいてもよい。この場合、光源モジュール１０を取付板２０に対して長手方向に少しずらした位置で仮固定した後、取付板２０に固定された取付金具３０にスライド挿入させればよい。
【０１０１】
［使用態様］
続いて、本実施の形態に係る照明器具１の使用態様の一例について、図７及び図８を用いて説明する。
【０１０２】
図７及び図８はそれぞれ、本実施の形態に係る照明器具１の使用態様の一例を示す斜視図及び断面図である。図８は、図７のＶＩＩＩ−ＶＩＩＩ線における断面を示している。
【０１０３】
図７及び図８に示す使用態様では、照明器具１は、屋内の天井９１と、壁９２と、キャビネット９３及び９４との間に配置されている。図８に示すように、照明器具１は、天井９１とキャビネット９３の天板９６との間に設けられた支輪９５に取り付けられている。つまり、本使用態様では、支輪９５は、照明器具１（取付板２０）が取り付けられる造営材２の一例である。
【０１０４】
照明器具１に電力を供給するための電源回路を収納する電源ボックス７０は、例えば、図８に示すように、キャビネット９３内のデッドスペースに配置されている。照明器具１と電源ボックス７０とは、リード線７１を介して接続されている。電源ボックス７０に含まれる電源回路には、図示しない商用交流電源などから交流電力が供給される。
【０１０５】
電源ボックス７０の配置などは、図示した例に限定されない。例えば、電源ボックス７０は、支輪９５と壁９７との間のデッドスペースに配置されてもよい。あるいは、電源ボックス７０は、照明器具１の近傍（支輪９５より前方）に配置されてもよい。
【０１０６】
図７に示すように、本実施の形態では、照明器具１が長尺であるために、壁９２とキャビネット９４との間に十分なスペースが設けられていない。具体的には、支輪９５に取り付けた取付板２０に対して、長手方向の端部から光源モジュール１０をスライド挿入するだけのスペースは設けられていない。このスライド挿入を実現するためには、少なくとも取付板２０と光源モジュール１０との長さの合計（すなわち、照明器具１の略２倍の長さ）が必要となる。
【０１０７】
これに対して、本実施の形態では、図６Ａに示したように、光源モジュール１０の一対の第１溝１７ａ及び１７ｂに、取付板２０を差し入れることができる。したがって、照明器具１の長手方向のスペースが十分に確保されていない場合でも、照明器具１を造営材に取り付けることができる。
【０１０８】
照明器具１は、反射部１５２によって配光を調整することができる。例えば、図８の破線で示す部分より下方に配光方向を制限することができる。例えば、照明器具１から出射される光の多くが天井９１を照射した場合、ユーザが天井９１からの光を眩しく感じることがある。図８に示す使用態様によれば、天井９１に照射される光の量を少なくすることができるので、天井９１からの反射光を減らすことができる。
【０１０９】
［リード線の引き出し］
ここで、照明器具１に電源を供給するためのリード線７１の引き出し方法について説明する。本実施の形態に係る照明器具１では、リード線７１は、エンドカバー１６の貫通孔１６２を介してカバー部材１３内に挿入されて、基板１１に電気的かつ物理的に接続される。
【０１１０】
エンドカバー１６に接続されたリード線７１は、エンドキャップ５０によって覆われる。エンドキャップ５０は、下面（ｙ軸方向の負側の面）が開放されているので、リード線７１は、当該下面から引き出される。エンドキャップ５０の下面から引き出されたリード線７１は、図８に示す支輪９５に設けられた貫通孔（図示せず）に挿通されて電源ボックス７０に接続される。
【０１１１】
このように、エンドキャップ５０の下面からリード線７１を引き出す場合には、支輪９５などの造営材に貫通孔を設けるなどの加工を行わなければならない。しかしながら、造営材に加工ができない場合、又は、造営材に加工を行う必要がない場合が考えられる。造営材に加工を行う必要がない場合とは、電源ボックス７０が造営材に対して照明器具１と同じ側に配置されている場合などである。
【０１１２】
本実施の形態では、図９に示すように、エンドキャップ５０を加工することで、リード線７１を引き出すためのスリット５３を形成する。図９は、本実施の形態に係るエンドキャップ５０の（ａ）加工前と（ｂ）加工後とを示す斜視図である。図９は、エンドキャップ５０を下面側から見た図である。
【０１１３】
エンドキャップ５０には、薄肉部５２が設けられている。薄肉部５２は、エンドキャップ５０の肉厚が薄くなった部分である。エンドキャップ５０の内面に溝（例えば、Ｖ字溝）が形成されることで、薄肉部５２が形成される。薄肉部５２は、スリット５３の外形に沿った形状で設けられている。本実施の形態では、図９の（ａ）に示すように、略Ｕ字状の２つの薄肉部５２が設けられている。
【０１１４】
例えば、照明器具１の施工者は、ペンチなどの切断が可能な工具を利用して、薄肉部５２を切断する。図９の（ａ）には、破線の円で切断部分を示している。薄肉部５２が設けられていることで、容易に切断が可能になる。薄肉部５２の形状に沿ってエンドキャップ５０の一部を切り離す。これにより、図９の（ｂ）に示すように、スリット５３が形成される。
【０１１５】
図１０は、本実施の形態に係る加工後のエンドキャップ５０の使用態様の一例を示す斜視図である。図１０に示すように、スリット５３からリード線７１を照明器具１の外側に引き出すことができる。これにより、造営材２に貫通孔を設けるなどの加工を行わなくても、リード線７１を照明器具１から引き出すことが可能になり、電源ボックス７０と接続することができる。
【０１１６】
［効果など］
以上のように、本実施の形態に係る照明器具１は、光源モジュール１０と、光源モジュール１０を造営材２に取り付けるための取付板２０と、光源モジュール１０を取付板２０に取り付けるための取付金具３０とを備え、光源モジュール１０は、光出射方向の反対側に設けられた、互いに対向する一対の第１溝１７ａ及び１７ｂ並びに互いに対向する一対の第２溝１８ａ及び１８ｂを有し、取付板２０は、一対の第１溝１７ａ及び１７ｂに差し入れられており、取付金具３０は、一対の第２溝１８ａ及び１８ｂの端部に挿入されて、取付板２０の移動を規制している。
【０１１７】
これにより、一対の第１溝１７ａ及び１７ｂに差し入れられた取付板２０の移動が取付金具３０によって規制されるので、取付板２０に対して光源モジュール１０を固定することができる。また、取付板２０を一対の第１溝１７ａ及び１７ｂに差し入れることができるので、取付板２０を一対の第１溝１７ａ及び１７ｂの延在方向（ｘ軸方向）に沿ってスライド挿入しなくてもよい。このため、例えば、図７及び図８で示したような狭い空間であっても、当該空間の幅が照明器具１の長さと略同じであれば、光源モジュール１０を取付板２０に固定することができる。このようにして、照明器具１を造営材２に簡単に固定することができる。
【０１１８】
また、例えば、光源モジュール１０は、発光素子１２が設けられた基板１１と、基板１１が載置される載置面１４ａを有する基台部１４、及び、基板１１の光出射側を覆う、少なくとも一部が透光性のカバー部１５を有するカバー部材１３とを備え、基台部１４は、載置面１４ａの反対側の面から立設された一対の側壁部１４１ａ及び１４１ｂを有し、一対の第１溝１７ａ及び１７ｂ並びに一対の第２溝１８ａ及び１８ｂは、一対の側壁部１４１ａ及び１４１ｂの互いに対向する面に設けられている。
【０１１９】
これにより、一対の第１溝１７ａ及び１７ｂと一対の第２溝１８ａ及び１８ｂとが光出射方向の反対側に位置するので、照明器具１を造営材２に取り付けるための構成（具体的には、取付板２０など）が照明器具１の配光特性に影響を与えないようにすることができる。
【０１２０】
また、例えば、一対の第１溝１７ａ及び１７ｂは、一対の第２溝１８ａ及び１８ｂより、一対の側壁部１４１ａ及び１４１ｂの先端側に設けられている。
【０１２１】
これにより、取付板２０の差し入れを容易に行うことができる。
【０１２２】
また、例えば、一対の第２溝１８ａ及び１８ｂの底面１８１ａ及び１８１ｂ間の距離Ｄ２は、一対の第１溝１７ａ及び１７ｂの底面１７１ａ及び１７１ｂ間の距離Ｄ１より短く、取付金具３０の幅ｗは、一対の第２溝１８ａ及び１８ｂの底面１８１ａ及び１８１ｂ間の距離Ｄ２に等しく、取付板２０の幅Ｗは、一対の第１溝１７ａ及び１７ｂの底面１７１ａ及び１７１ｂ間の距離Ｄ１より短い。
【０１２３】
これにより、取付板２０の幅Ｗが底面１７１ａ及び１７１ｂ間の距離Ｄ１より短いので、取付板２０の差し入れを容易に行うことができる。
【０１２４】
また、例えば、取付板２０の幅Ｗは、さらに、一対の第１溝１７ａ及び１７ｂの開口１７２ａ及び１７２ｂ間の距離ｄ１より長い。
【０１２５】
これにより、取付板２０の幅Ｗが開口１７２ａ及び１７２ｂ間の距離ｄ１より長いので、差し入れられた取付板２０が脱離しにくくすることができる。
【０１２６】
また、例えば、基台部１４とカバー部１５とは、一体成形されている。
【０１２７】
これにより、カバー部材１３を一体成形することができるので、照明器具１の製造方法における工程数を削減することができる。これにより、製造コストを削減することができる。また、一体成形によって基台部１４とカバー部１５との成形の精度を高めることができる。よって、品質の高い照明器具１を製造することができる。
【０１２８】
また、例えば、カバー部１５は、発光素子１２が発する光を透過させる透光部１５１と、発光素子１２が発する光を反射させる反射部１５２とを有する。
【０１２９】
これにより、反射部１５２によって光を反射させて、照明器具１から出射される光を制御することができる。つまり、照明器具１の配光を実現することができる。
【０１３０】
また、例えば、透光部１５１は、発光素子１２の光軸Ｌ上に位置している。
【０１３１】
これにより、発光素子１２の光軸Ｌ上には透光部１５１が位置するので、照明器具１から強い光を取り出すことができる。
【０１３２】
また、例えば、取付板２０と取付金具３０とは、ネジ４０などの固定部材によって互いに固定される。
【０１３３】
これにより、取付板２０と取付金具３０とが固定されるので、光源モジュール１０に対する取付板２０の移動をより強く規制することができる。したがって、照明器具１の造営材２への取り付けを強固にすることができる。
【０１３４】
また、例えば、取付板２０は、端部から延設され、平面視において光源モジュール１０より外方に突出した突出部２２を有し、突出部２２は、ネジ４０によって取付金具３０に固定される。
【０１３５】
これにより、突出部２２が平面視において光源モジュール１０から外方に突出しているので、光源モジュール１０を取付板２０に取り付けた状態で、取付板２０と取付金具３０とを固定することができる。
【０１３６】
また、例えば、突出部２２は、平面視において一対の第１溝１７ａ及び１７ｂのいずれか一方の側に偏って位置している。
【０１３７】
これにより、複数の照明器具１を連結する際に、隣り合う２つの照明器具１間の隙間を短くすることができる。詳細については、変形例２として後で説明する。
【０１３８】
また、例えば、光源モジュール１０及び取付板２０は、所定方向に長尺であり、一対の第１溝１７ａ及び１７ｂは、当該所定方向に延在しており、取付金具３０は、所定方向に交差する方向への取付板２０の移動を規制している。
【０１３９】
これにより、例えば、壁と家具との隙間に配置されるライン照明などの間接照明に照明器具１を利用することができる。
【０１４０】
（変形例１）
続いて、上記の実施の形態の変形例１について、図１１を用いて説明する。図１１は、本変形例に係る照明器具２０１の断面図である。図１１は、図５に示す断面図と同様に、図１のＶ−Ｖ線に相当する断面図である。
【０１４１】
本変形例に係る照明器具２０１は、実施の形態に係る照明器具１と比較して、カバー部材１３の代わりに、カバー部材２１３を備える点が相違する。具体的には、カバー部材２１３のカバー部２１５が有する透光部２５１と反射部２５２との配置及び大きさが、実施の形態に係る照明器具１の透光部１５１と反射部１５２との配置及び大きさとは相違する。以下では、実施の形態との相違点を中心に説明し、同じ点については説明を省略又は簡略化する。
【０１４２】
本変形例では、図１１に示すように、カバー部２１５は、透光部２５１と、反射部２５２とを有する。
【０１４３】
透光部２５１は、発光素子１２が発する光を透過させる透光性の部分である。透光部２５１は、発光素子１２の光軸Ｌ上には位置せず、発光素子１２の斜め前方に位置している。具体的には、発光素子１２は、カバー部２１５の２つの側面の一方を含む部分である。
【０１４４】
反射部２５２は、発光素子１２が発する光を反射する反射性の部分である。反射部２５２は、発光素子１２の光軸Ｌ上に位置している。具体的には、反射部２５２は、カバー部２１５の上面を含む上面部２５２ａと２つの側面の他方を含む傾斜部２５２ｂとを有する。反射部２５２によって反射された光は、透光部２５１から照明器具１の外側に出射される。
【０１４５】
なお、透光部２５１及び反射部２５２はそれぞれ、配置及び大きさが相違する点を除いては、材料及び形成方法などは、実施の形態１に係る透光部１５１及び反射部１５２と同じである。
【０１４６】
以上のように、本変形例に係る照明器具２０１では、例えば、反射部２５２は、発光素子１２の光軸Ｌ上に位置している。
【０１４７】
これにより、発光素子１２からの光の強度が最も強い光軸Ｌ上の光が、照明器具１から直接取り出されない。したがって、ユーザが眩しく感じることを抑制することができる。すなわち、照明器具２０１は、いわゆるグレアレス配光を実現することができる。
【０１４８】
なお、反射部２５２は、光の反射性ではなく、吸収性を有してもよい。例えば、発光素子１２から発せられた光のうち、反射部２５２の上面部２５２ａに到達した光は、載置面１４ａに向かって反射されるため、効率良く透光部２５１から外部に取り出されない。このため、例えば、上面部２５２ａは、反射性ではなく、吸収性を有してもよい。つまり、本変形例に係るカバー部２１５は、透光部２５１と、遮光性の非透光部（遮光部）とを有してもよい。
【０１４９】
（変形例２）
続いて、上記の実施の形態の変形例２について説明する。本変形例では、実施の形態で説明した照明器具１を複数準備し、長手方向に連結する方法について説明する。
【０１５０】
図１２は、本変形例に係る照明器具１を複数連結する場合の２つの取付板２０Ａ及び２０Ｂの配置を示す平面図である。具体的には、図１２は、２つの照明器具１の連結部分を示している。なお、図１２において、取付板２０Ａ及び２０Ｂは、上記の実施の形態で示した取付板２０と同じである。
【０１５１】
図１２に示すように、連結部分では、取付板２０Ａの突出部２２Ａの先端が取付板２０Ｂに接触し、取付板２０Ｂの突出部２２Ｂの先端が取付板２０Ａに接触するように配置される。つまり、突出部２２Ａと突出部２２Ｂとが短手方向（ｚ軸方向）に並ぶように配置されている。具体的には、突出部２２Ａに設けられたネジ穴２３Ａは、突出部２２Ｂに設けられたネジ穴２３Ｂよりもｘ軸方向の正側に位置している。
【０１５２】
上記の実施の形態でも説明したように、突出部２２Ａ及び突出部２２Ｂがそれぞれ、取付板２０Ａ及び取付板２０Ｂの長手方向に沿った中心線ＣＬから偏った位置に位置している。このため、取付板２０Ａと取付板２０Ｂとを長手方向に沿って並べて配置した場合に、突出部２２Ａと突出部２２Ｂとが接触せずに、取付板２０Ａ及び取付板２０Ｂの各々の中心線ＣＬを一致させることができる。
【０１５３】
図１３は、本変形例に係る照明器具１の連結に利用する取付金具３３０の平面図である。
【０１５４】
取付金具３３０は、実施の形態に係る取付金具３０の代わりに用いられる。本変形例では、１つの取付金具３３０が、２つの照明器具１の連結部分における２つの取付金具３０の代わりに用いられる。
【０１５５】
図１３に示すように、取付金具３３０は、第１板部３３１Ａと、第１連結部３３２Ａと、第１ネジ孔３３３Ａと、第２板部３３１Ｂと、第２連結部３３２Ｂと、第２ネジ孔３３３Ｂとを有する。なお、図示しないが、取付金具３３０は、規制部３４と同じ構成を有する。
【０１５６】
第１板部３３１Ａ及び第２板部３３１Ｂはそれぞれ、実施の形態に係る取付金具３０の板部３１と同じである。
【０１５７】
第１連結部３３２Ａ及び第２連結部３３２Ｂはそれぞれ、実施の形態に係る取付金具３０の突出部３２と略同じである。第１連結部３３２Ａ及び第２連結部３３２Ｂはそれぞれ、第１板部３３１Ａと第２板部３３１Ｂとを連結している。
【０１５８】
第１連結部３３２Ａ及び第２連結部３３２Ｂはそれぞれ、第１板部３３１Ａと第２板部３３１Ｂとの接続部分に段差部が設けられており、第１板部３３１Ａ及び第２板部３３１Ｂよりも取付板２０Ａ及び２０Ｂ側（ｙ軸方向の負側）に位置している。これにより、第１連結部３３２Ａは、取付板２０Ａの突出部２２Ａと接触し、第２連結部３３２Ｂは、取付板２０Ｂの突出部２２Ｂと接触するように、取付金具３３０を配置することができる。
【０１５９】
第１ネジ孔３３３Ａ及び第２ネジ孔３３３Ｂはそれぞれ、実施の形態に係る取付金具３０のネジ孔３３と同じである。平面視において、第１ネジ孔３３３Ａがネジ穴２３Ａに一致し、第２ネジ孔３３３Ｂがネジ穴２３Ｂに一致するように、取付金具３３０は配置される。
【０１６０】
取付金具３３０は、実施の形態に係る取付金具３０と同様に、例えば、アルミニウムなどの金属材料から形成されるが、これに限定されない。
【０１６１】
以下では、本変形例に係る照明器具１の具体的な連結方法について、図１４Ａ〜図１４Ｃを用いて説明する。図１４Ａ〜図１４Ｃは、本変形例に係る照明器具１の連結方法を示す平面図である。
【０１６２】
具体的には、図１４Ａは、一の光源モジュール１０Ａに取付金具３３０を挿入する工程を示す平面図である。図１４Ｂは、他の光源モジュール１０Ｂに取付金具３３０を挿入する工程を示す平面図である。図１４Ｃは、光源モジュール１０Ａ及び１０Ｂにエンドキャップ３５０を取り付ける工程を示す図である。なお、光源モジュール１０Ａ及び１０Ｂは、実施の形態に係る光源モジュール１０と同じである。
【０１６３】
まず、図１４Ａの（ａ）に示すように、取付板２０Ａに光源モジュール１０Ａを取り付ける。具体的な取付方法は、図６Ａで説明した通りである。
【０１６４】
次に、図１４Ａの（ｂ）に示すように、取付金具３３０を光源モジュール１０Ａの一対の第２溝１８ａＡ及び１８ｂＡに挿入する。具体的には、第１ネジ孔３３３Ａと第２ネジ孔３３３Ｂとがネジ穴２３Ａとネジ穴２３Ｂとに平面視において一致する位置まで、取付金具３３０の第１板部３３１Ａを一対の第２溝１８ａＡ及び１８ｂＡの長手方向の端部からスライド挿入する。
【０１６５】
次に、図１４Ｂの（ｃ）に示すように、取付板２０Ｂに光源モジュール１０Ｂを取り付ける。具体的な取り付け方法は、図６Ａで説明した通りである。なお、このとき、取付金具３３０が取付板２０Ｂの端部に位置しているので、光源モジュール１０Ｂを取付金具３３０から離れた位置で取付板２０Ｂに取り付ける。
【０１６６】
次に、図１４Ｂの（ｄ）に示すように、取付板２０Ｂに取り付けられた光源モジュール１０Ｂをスライドさせることで、取付金具３３０を一対の第２溝１８ａＢ及び１８ｂＢに挿入する。これにより、光源モジュール１０Ａと光源モジュール１０Ｂとの間の隙間を小さくすることができる。隙間の長さ（長手方向の長さ）は、第１連結部３３２Ａ及び第２連結部３３２Ｂの長さに相当する。
【０１６７】
次に、図１４Ｃの（ｅ）に示すように、ネジ４０Ａを第１ネジ孔３３３Ａ及び第１ネジ穴２３Ａにねじ入れ、かつ、ネジ４０Ｂを第２ネジ孔３３３Ｂ及び第２ネジ穴２３Ｂにねじ入れる。これにより、取付金具３３０と取付板２０Ａ及び２０Ｂとが固定される。なお、ネジ４０Ａ及び４０Ｂによる固定は、取付金具３３０を光源モジュール１０Ａの一対の第２溝１８ａＡ及び１８ｂＡに挿入した後（図１４Ａの（ｂ）に示す工程の後）であればよい。例えば、ネジ４０Ａ及び４０Ｂによる固定は、光源モジュール１０Ｂの取り付け前（図１４Ｂの（ｃ）に示す工程の前）でもよい。
【０１６８】
さらに、光源モジュール１０Ａ及び１０Ｂの連結部分にエンドキャップ３５０を取り付ける。エンドキャップ３５０は、実施の形態に係るエンドキャップ５０と略同じであるが、六角形の面（ｘ軸方向における面）が両方共、開放されている点が異なる。また、エンドカバー１６を挿入するための溝５１が開放された面の開口部分の両方に設けられている。
【０１６９】
これにより、図１４Ｃの（ｆ）に示すように、エンドキャップ３５０は、光源モジュール１０Ａ及び１０Ｂの連結部分を覆うことができる。単純に２つの照明器具１を連結する場合に比べて、エンドキャップ３５０が１つで済むため、照明器具１の連続性を高めることができる。すなわち、連結部に生じる暗部（発光素子１２が設けられていない部分）を少なくすることができる。
【０１７０】
（その他）
以上、本発明に係る照明器具について、実施の形態及びその変形例に基づいて説明したが、本発明は、上記の実施の形態などに限定されるものではない。
【０１７１】
例えば、上記の実施の形態では、照明器具１が、取付金具３０と、ネジ４０と、エンドキャップ５０とを２つずつ備える例について示したが、これに限らない。例えば、照明器具１は、取付金具３０と、ネジ４０と、エンドキャップ５０とを１つずつ備えてもよい。すなわち、照明器具１では、取付金具３０、ネジ４０及びエンドキャップ５０が光源モジュール１０の片側にのみ設けられていてもよい。
【０１７２】
また、例えば、上記の実施の形態では、取付板２０と取付金具３０とをネジ４０によって固定する例について示したが、これに限らない。例えば、取付板２０と取付金具３０とは、爪部などによって一方が他方に係止されてもよい。あるいは、取付板２０と取付金具３０とは、固定されなくてもよい。
【０１７３】
また、例えば、上記の実施の形態では、カバー部材１３が二色成形により一体に（一部品として）形成される例について示したが、これに限らない。カバー部材１３は、例えば、透光部１５１と、透光部１５１以外の部分（反射部１５２及び基台部１４）とでそれぞれ別部材として形成されてもよい。この場合、例えば、透光部１５１として、透明なガラス材料を用いてもよく、反射部１５２及び基台部１４として、アルミニウムなどの金属材料を用いてもよい。
【０１７４】
また、例えば、カバー部１５は、反射部１５２を有さなくてもよい。例えば、カバー部１５は、反射部１５２の代わりに、光を吸収する遮光部を有してもよい。あるいは、カバー部１５は、全体が透光性を有してもよい。
【０１７５】
また、例えば、上記の実施の形態では、基板１１には、発光素子１２としてＳＭＤ型のＬＥＤが実装される例について示したが、これに限らない。例えば、発光素子１２が実装された基板１１は、ＬＥＤチップが直接実装されたＣＯＢ（Ｃｈｉｐ  Ｏｎ  Ｂｏａｒｄ）型の基板でもよい。また、発光素子１２は、ＬＥＤに限らず、有機ＥＬ素子、又は、半導体レーザ素子などを用いてもよい。
【０１７６】
また、例えば、上記の実施の形態では、照明器具１が長尺である例について示したが、これに限らない。照明器具１は、平面視形状が正方形、円形などでもよい。
【０１７７】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１７８】
１、２０１  照明器具
２  造営材
１０、１０Ａ、１０Ｂ  光源モジュール
１１  基板
１２  発光素子
１３、２１３  カバー部材
１４  基台部
１４ａ  載置面
１５、２１５  カバー部
１７ａ、１７ｂ  第１溝
１８ａ、１８ａＡ、１８ａＢ、１８ｂ、１８ｂＡ、１８ｂＢ  第２溝
２０、２０Ａ、２０Ｂ  取付板
２２、２２Ａ、２２Ｂ  突出部
３０、３３０  取付金具
４０、４０Ａ、４０Ｂ  ネジ（固定部材）
１４１ａ、１４１ｂ  側壁部
１５１、２５１  透光部
１５２、２５２  反射部
１７１ａ、１７１ｂ、１８１ａ、１８１ｂ  底面
１７２ａ、１７２ｂ、１８２ａ、１８２ｂ  開口
【図１】
0006635379.tif 000002
【図２】
0006635379.tif 000003
【図３】
0006635379.tif 000004
【図４】
0006635379.tif 000005
【図５】
0006635379.tif 000006
【図６Ａ】
0006635379.tif 000007
【図６Ｂ】
0006635379.tif 000008
【図６Ｃ】
0006635379.tif 000009
【図７】
0006635379.tif 000010
【図８】
0006635379.tif 000011
【図９】
0006635379.tif 000012
【図１０】
0006635379.tif 000013
【図１１】
0006635379.tif 000014
【図１２】
0006635379.tif 000015
【図１３】
0006635379.tif 000016
【図１４Ａ】
0006635379.tif 000017
【図１４Ｂ】
0006635379.tif 000018
【図１４Ｃ】
0006635379.tif 000019